(57)【特許請求の範囲】
【請求項１】
ガスに含まれる硫黄化合物を除去する湿式脱硫装置および乾式脱硫装置を備え、前記湿式脱硫装置で精製された精製ガスに含まれる微量の硫黄化合物を、合成ゼオライトよりなる脱硫触媒を充填した前記乾式脱硫装置で処理するガス精製システムであって、
前記乾式脱硫装置に充填された合成ゼオライトが３Ａと、４Ａ及び／又は５Ａであることを特徴とするガス精製システム。
【請求項２】
請求項１記載のガス精製システムにおいて、前記乾式脱硫装置に前記脱硫触媒を複数段に渡って配置した脱硫塔が備えられ、前記脱硫塔の入口部分に水分除去能力の優れた合成ゼオライトが配置され、出口部分に硫黄化合物除去能力の優れた合成ゼオライトが配置され、前記脱硫塔の入口部分に配置された合成ゼオライトは３Ａであり、出口部分に配置された合成ゼオライトは４Ａ及び／又は５Ａであることを特徴とするガス精製システム。
【請求項３】
生成されたガスに含まれる硫黄化合物を除去する湿式脱硫装置および乾式脱硫装置を備え、前記湿式脱硫装置で精製された精製ガスに含まれる微量の硫黄化合物を、合成ゼオライトよりなる脱硫触媒を有する前記乾式脱硫装置で処理し、前記湿式脱硫装置と前記乾式脱硫装置との間に前記湿式脱硫装置で処理された精製ガスを熱回収して冷却する冷却装置を備えたガス精製システムであって、
前記冷却装置は前記精製ガスを０〜１０℃の温度範囲に冷却できる機能を有する冷却装置であることを特徴とするガス精製システム。
【請求項４】
請求項３記載のガス精製システムにおいて、前記乾式脱硫装置に前記脱硫触媒が複数段に渡って配置された脱硫塔が備えられ、前記脱硫塔の入口部分に水分除去能力の優れた合成ゼオライトが配置され、出口部分に硫黄化合物除去能力の優れた合成ゼオライトが配置され、前記脱硫塔の入口部分に配置された合成ゼオライトは３Ａであり、出口部分に配置された合成ゼオライトは４Ａ及び／又は５Ａであることを特徴とするガス精製システム。
【請求項５】
生成されたガスに含まれる固形物を水で洗浄する洗浄塔と、前記洗浄塔で洗浄後のガスに含まれる硫黄化合物を除去する脱硫装置とを具備し、前記脱硫装置として合成ゼオライトよりなる脱硫触媒が充填された乾式脱硫装置を備え、前記乾式脱硫装置の上流側に前記洗浄塔で洗浄されたガスを熱回収して冷却する冷却装置を備え、前記冷却装置にて冷却された前記ガスが前記乾式脱硫装置で処理するようにしたガス精製システムであって、
前記冷却装置が石炭生成ガスを０〜１０℃の温度範囲に冷却できる機能を有する冷却装置であることを特徴とするガス精製システム。
【請求項６】
請求項５記載のガス精製システムにおいて、前記乾式脱硫装置に前記脱硫触媒が複数段に渡って配置された脱硫塔が備えられ、前記脱硫塔の入口部分に水分除去能力の優れた合成ゼオライトが配置され、出口部分に硫黄化合物除去能力の優れた合成ゼオライトが配置され、前記脱硫塔の入口部分に配置された合成ゼオライトが３Ａであり、出口部分に配置された合成ゼオライトが４Ａ及び／又は５Ａであることを特徴とするガス精製システム。
【請求項７】
生成されたガスを脱硫触媒と接触させて硫黄化合物を除去するようにしたガス精製方法において、生成ガスを湿式脱硫処理し、その後、合成ゼオライトよりなる脱硫触媒により乾式脱硫処理を行うガス精製方法であって、前記湿式脱硫処理によって得られた精製ガスを熱交換して０〜１０℃の温度に冷却した後、前記乾式脱硫処理を行うことを特徴とするガス精製方法。
【発明の詳細な説明】
【技術分野】
【０００１】
本発明は生成されたガスを精製する過程までを含むガス精製システムに係り、また、精製方法に関する。
【背景技術】
【０００２】
石炭のガス化によって生成されたガスすなわち石炭ガスを、ガスタービンや燃料電池の燃料に用いることが検討されている。石炭ガスをガスタービン或いは燃料電池に用いる場合、石炭ガスに含まれている腐食性の硫黄化合物を１ｐｐｍ以下の濃度に下げることが要求される。このようなことから、石炭ガスの硫黄化合物を下げる検討が行われている（たとえば、特許文献１参照）。特許文献１には、石炭ガスを冷却、脱塵、脱硫して燃料電池の燃料ガスに用いることが記載されている。
【０００３】
硫黄化合物の除去方法には湿度処理方法と、吸着剤，触媒等の脱硫剤を用いる乾式処理方法とがある。脱硫剤としては主に酸化亜鉛系脱硫剤が用いられており、３５０℃程度の高温で高い吸着性能を有することが知られている。また、石炭ガスの脱硫には殆ど用いられていないが、天然ガス等の炭化水素系ガスの脱硫剤として合成ゼオライトが知られている（例えば、特許文献２参照）。
【０００４】
【特許文献１】特許第3108079号公報（請求項２）
【特許文献２】特開平10−237473号公報（要約）
【発明の開示】
【発明が解決しようとする課題】
【０００５】
酸化亜鉛系脱硫剤を用いた場合、再生処理時に、酸素を供給して硫黄分を燃焼させる必要がある。硫黄分を燃焼すると二酸化硫黄が発生し、このガスが再生後の脱硫剤中に残留して、再生後の脱硫剤の硫黄吸着能が低下するという問題がある。また、酸化亜鉛系脱硫剤を用いた場合には、この脱硫剤は３５０℃程度の高温での吸着性能が優れるために、脱硫塔内に熱交換器を設置する場合が多く、脱硫塔の構造が複雑化して、脱硫剤交換作業が煩雑になるという問題がある。
【０００６】
本発明の目的は、ガス中の硫黄分を低温で除去することができ、しかも、燃焼させずに脱硫剤を再生できるようにしたガス精製システムおよびガス精製方法を提供することにある。
【課題を解決するための手段】
【０００７】
本発明は、ガスの脱硫装置として湿式脱硫装置と乾式脱硫装置を備え、湿式脱硫装置で精製された精製ガスを、その後、合成ゼオライトよりなる脱硫触媒を有する乾式脱硫装置で処理するようにしたガス精製システムにある。
【０００８】
また、本発明は、ガスを湿式脱硫処理し、その後、合成ゼオライトよりなる脱硫触媒により乾式脱硫処理を行うようにしたガス精製方法にある。
【０００９】
本発明では、除去機能の異なる複数種類の合成ゼオライトを用い、ガスをまず水分除去能力の優れた合成ゼオライトたとえば３Ａで処理し、次いで、硫黄化合物除去能力の優れた合成ゼオライトたとえば４Ａ，５Ａなどを用いて乾式脱硫処理することが望ましい。また、乾式脱硫を行う前に、ガスの温度を０〜１０℃に下げることが望ましい。
【発明の効果】
【００１０】
本発明によれば、ガスに含まれる硫黄化合物を低温で除去することができる。また、合成ゼオライトを用いているので、燃焼させずに再生することができる。
【発明を実施するための最良の形態】
【００１１】
以下、本発明の実施形態について説明するが、本発明は以下に示す実施形態に限定されるものではない。
【実施例１】
【００１２】
図１は、本発明による石炭ガス化システムの第一の実施形態を示している。本実施例の石炭ガス化システムは、石炭ホッパ１Ａ，１Ｂからなる石炭供給系統と、酸素製造装置２と、ガス化炉３と、熱回収器４と、フィルタ５と、洗浄塔６と、吸収塔７と、再生塔８と、硫黄分回収装置９および精密脱硫塔１１Ａ，１１Ｂを主要な構成要素としている。
【００１３】
この石炭ガス化システムの処理の流れについて説明する。石炭１０はガス化に適した平均粒径４０μｍ前後の微粉炭に粉砕されて、石炭ホッパ１Ａへ供給されたのち、ガス化炉３の圧力よりも高い圧力に保った石炭ホッパ１Ｂへ供給される。酸素製造装置２は、図示を省略しているが空気分離塔と窒素圧縮機および酸素圧縮機から構成されており、空気を窒素と酸素１００１に分離する。酸素１００１は酸素圧縮機で圧縮され、微粉炭とともにガス化炉へ供給され、石炭をガス化するための酸化剤として用いられる。分離された窒素１００３Ａ，１００３Ｂは窒素圧縮機で圧縮されたのち、微粉炭をガス化炉３に搬送するための搬送ガス、或いは合成ゼオライトを再生処理するための再生用ガスとして使用される。
【００１４】
ガス化炉３では、微粉炭と酸化剤である酸素１００１からなる燃料１００２により石炭のガス化反応が生じ、水素及び一酸化炭素を主成分とする可燃性の生成ガス１１０１が発生する。ガス化炉３内は１６００℃程度の高温であるので、石炭中に含まれている灰分は溶融し、ガス化炉３の下部から取り出され、水冷破砕されて、ガラス状の固形物であるスラグとなる。生成ガス１１０１は１０００℃前後の高温であり、排熱回収ボイラ等の熱回収器４により４００℃程度の温度まで冷却される。
【００１５】
生成ガス１１０１には、未燃のチャーのほかに、硫黄分、ハロゲンなどの不純物が含まれていることから、フィルタ５を含む乾式の脱塵系でまずチャーなどの固形物を回収する。脱塵系は図示しないサイクロンとフィルタ５により構成される。回収されたチャーは、ガス化炉３に再供給して灰分を溶融してスラグとし、未反応の炭素分はガス化反応させる。
【００１６】
脱塵後の石炭ガスには、脱塵系で除去できなかった微細な固形物、石炭中に含まれていた窒素分や硫黄分などから生成したアンモニア，硫化カルボニル，硫化水素等の不純物が含まれている。微細な固形物は下流に設置されている各種装置の閉塞或いは磨耗の原因になり、また、アンモニアや硫黄化合物などはガスを燃焼した際に、窒素酸化物や硫黄酸化物という有害なガスを発生する原因になることから、これらを除去する必要がある。微細な固形物は洗浄塔６内でガスを水洗いすることにより除去する。この洗浄塔６でガスを１１０℃程度の温度に冷却することにより、石炭ガス中のアンモニアも水に吸収されて除去される。石炭ガス中の洗浄後に、硫化カルボニルを図示しない硫化カルボニル転換器を用いて除去する。硫化カルボニル転換器には、触媒を用いて硫化カルボニルを水分と反応させて硫化水素に転換する反応器を用いることができる。これにより、石炭ガス中の硫黄化合物の大部分は硫化水素となるので、次に硫化水素を吸収塔７により除去する。吸収塔７内には、アミン化合物である硫化水素吸収液が循環しており、石炭ガスを通じることにより硫化水素が吸収され、ガス中の硫黄化合物の濃度は１０ｐｐｍ程度まで減少する。
【００１７】
吸収塔７内に循環しているアミン化合物からなる硫化水素吸収液は、硫化水素及び二酸化炭素を含んだリッチ液１２０１になり、熱交換器２３で熱回収された後、リッチ液１２０２となって再生塔８の上部へ投入される。再生塔８では、下部に設置されたリボイラ（図示せず）から蒸気が供給され、上部より供給されたリッチ液１２０２と接触することで、リッチ液中の硫化水素及び二酸化炭素を分離する。リッチ液中から硫化水素及び二酸化炭素が除去されたリーン液は、再生塔８の下部よりリーン液１２０３として抜き出され、熱交換器２３を経由して吸収塔７の上部へ投入される。
【００１８】
一方、再生塔８の上部より抜き出された、主として水蒸気，二酸化炭素及び硫化水素からなる酸性ガス１２１１は、硫黄分回収装置９へ送られ、ここで硫黄分は燃焼されて石膏として回収され、残りのガス１２１２は排ガス１００として系外へ排出される。
【００１９】
石炭ガスを吸収塔７で処理することによって精製された精製ガス１１０６は、熱交換器２２，２１を経由して精製ガス１１０８となって精密脱硫塔１１Ａ、１１Ｂのいずれか一方に供給される。図１に精密脱硫塔が２基設置されているのは、一方で脱硫処理が行われているときに、他方で再生処理が行われるようにするためである。
【００２０】
精製ガス１１０８が精密脱硫塔１１Ａに送られる場合を例にとって説明する。精製ガス１１０８はバルブ５１を介して精密脱硫塔１１Ａへ精製ガス１１０９Ａとして送られる。精密脱硫塔１１Ａでは硫化水素、硫化カルボニルなどの硫黄含有ガスが合成ゼオライトによって除去され、清浄な精製ガス１１１０Ａとなり、バルブ５３を介して燃料１０１となる。この燃料は燃料電池などの燃料として使用される。
【００２１】
精密脱硫塔１１Ａで脱硫処理を行っているときに、精密脱硫塔１１Ｂでは脱硫剤を再生する処理が行われる。精密脱硫塔１１Ｂでは、既に精製ガス１１０９Ｂを供給して脱硫処理を実施済みである。再生処理では、再生用ガス貯槽１２へ貯蔵されている再生用ガス１３０２を、バルブ６２を介して精密脱硫塔１１Ｂに供給する。これにより、合成ゼオライトに吸着されていた硫化水素や硫化カルボニルは脱着される。硫化水素や硫化カルボニルを含む再生排ガス１１１０Ｂは、バルブ６４を経由して、排ガス１０２として系外へ排出される。なお、再生用ガス貯槽１２には、再生用ガス圧縮機１３で昇圧された再生用ガス１３０１を貯蔵しておく。再生用ガスとしては乾燥空気或いは乾燥窒素などがある。
【００２２】
本実施形態の石炭ガス化システムによれば、石炭ガス中の不純物である硫黄成分を、分子篩まで高精度に除去することができる。
【００２３】
精密脱硫塔１１Ａ，１１Ｂでは、脱硫剤として合成ゼオライトを用いる。合成ゼオライトには、ガス中分子のサイズ及び分極性により、吸着できる成分が決まるという分子選択性がある。分子の吸着能力は、水分＞硫化水素＞二酸化硫黄＞硫化カルボニル＞二酸化炭素の順であり、硫化水素や硫化カルボニルを吸着するが、同時に水分や二酸化炭素も吸着するという性質がある。これらの吸着能力は、合成ゼオライトの種類によって異なる。
【００２４】
本発明では、合成ゼオライトとして３Ａ，４Ａ及び５Ａを用いることが望ましい。３Ａの合成ゼオライトは、有効直径が０．３ｎｍ以下である分子たとえば水分，アンモニア及びヘリウムの吸着性能が優れる。４Ａの合成ゼオライトは、有効直径が０．４ｎｍ以下の分子たとえば硫化水素，硫化カルボニル，二酸化炭素を吸着するのに優れるが、３Ａで吸着できる水分，アンモニアも吸着する。５Ａのゼオライトは、有効直径が０．５ｎｍ以下の分子たとえばｎ−パラフィン，ｎ−オレフィンなどを吸着するのに優れるが、４Ａで吸着できる分子も吸着する。
【００２５】
吸収塔７で処理後の精製ガスには、通常、二酸化炭素が数％、硫黄化合物が１０ｐｐｍ程度含まれている。このように二酸化炭素が数％も含まれるガスでは、合成ゼオライトによって数ｐｐｍオーダの硫黄化合物を除去することは困難と考えられ、従来は酸化亜鉛系の脱硫剤が用いられてきた。ところが、本発明に至る過程で、数％の二酸化炭素が含まれていても、数ｐｐｍオーダの硫黄化合物を合成ゼオライトによって除去できることが確認された。
【００２６】
合成ゼオライトによって硫黄化合物を除去するにあたっては、吸着能の異なる複数の合成ゼオライトを多段に積層するか、或いは、合成ゼオライトを充填した脱硫塔を直列に複数基設置することが望ましい。そして、水分吸着能が優れた３Ａのような合成ゼオライトを用いて水分を、先ず除去し、その後、硫黄化合物吸着能が優れた４Ａ，５Ａのような合成ゼオライトを用いて、硫黄化合物の除去処理を行うことが望ましい。
【００２７】
図２は、種類の異なる合成ゼオライトを二段に設置した構成の精密脱硫塔１１を示している。吸収塔７からの精製ガス１１０９が流入する入口部分には３Ａのように水分除去能力の優れた合成ゼオライト１１０が配置され、精製ガス１１１０の出口部分には４Ａ，５Ａのように硫黄化合物除去能力の優れた合成ゼオライト１２０が配置される。このように構成することにより、精密脱硫塔に流入した精製ガスは乾燥され、硫黄成分と水分とに分離されるので、後段の合成ゼオライトによる硫黄化合物除去性能が高まるという効果がある。
【００２８】
図７は、二酸化炭素が数％含まれ、硫化水素が数十ｐｐｍ含まれる石炭ガスを、合成ゼオライト５Ａを用いて脱硫処理したときの硫黄分吸着能を示している。二酸化炭素の量が多いと、硫黄分の吸着能は低下するが、それでも、二酸化炭素の量が数％の範囲内であれば、合成ゼオライトによって硫黄分を吸着除去することができる。
【００２９】
本発明では、精密脱硫塔で脱硫処理を行うに際して、石炭ガスの温度を０〜１０℃程度に下げておくことが好ましい。石炭ガスの温度を下げることにより、ガス中の水分量が減り、その後の合成ゼオライトによる脱硫性能が高まるという効果がある。図６は、吸収塔による石炭精製ガスの温度と合成ゼオライト５Ａによる硫黄分吸着能との関係を示したものであり、石炭ガスの温度が０〜１０℃の範囲では、硫黄分吸着能が高いことが分かる。
【実施例２】
【００３０】
図３は、本発明の第二の実施形態による石炭ガス化システムを示している。図３が図１と相違しているのは、精密脱硫塔１１Ａ，１１Ｂの脱硫剤の再生に使用するガスに、酸素製造装置２で得られた窒素１３１０を用いるようにした点である。
【００３１】
酸素製造装置２を具備した石炭ガス化炉システムでは、石炭の燃焼に必要な酸素１００１は空気から製造しており、副生物として酸素の４倍近い量の窒素が製造される。この窒素は深層冷却法で製造されるので乾燥しており、不純物を吸着した合成ゼオライトを再生するのに好適な条件となっている。合成ゼオライトによる脱硫処理は、硫黄分を物理吸着させることによって行われるので、窒素ガスを流すことによって吸着した硫黄分を容易に脱着させることができる。
【００３２】
この第二の実施形態によれば、石炭ガス化システムに備えられている酸素製造装置の副生物である乾燥した窒素を、合成ゼオライトの再生用ガスに利用できるので、石炭ガス化システムのシステム効率を高くできるという効果がある。この実施形態は石炭ガス化システム特有の、酸素製造装置により副生物として製造された窒素ガスを再生ガスに用いるものである。
【００３３】
但し、酸素製造装置で製造された窒素は、石炭の搬送、フィルタの逆洗などにも使用され、脱硫剤の再生のためだけに無条件に使用できるわけではない。酸素製造装置の容量を大きくすれば、他の窒素利用状況に関係なく、窒素を再生に利用することが可能になるが、酸素が余ることになり、システムの製造費及び運用コストが高くなり効率的でない。
【００３４】
そこで、酸素製造装置で製造された窒素を図４に示すように運用することが望ましい。図４は上段に窒素供給量（定格容量に対する割合）を示し、下段に精密脱硫触媒である合成ゼオライトの吸着容量に対する吸着量の比率の時間経過を示している。上段の窒素供給量では、常時定格で使用している石炭供給系の窒素量や圧力検出端の閉塞を防止するための窒素量がある。これとは別に、石炭ガス中に含まれるチャーを捕集するフィルタの詰まりを解消するために使用する逆洗用の窒素量があり、また、石炭を石炭ホッパ１００３Ａから石炭供給ホッパ１００３Ｂへ供給する際に使用するロックホッパ供給窒素量がある。フィルタの詰まり防止或いはロックホッパへの供給のために使用する窒素の使用時間間隔は不定期である。
【００３５】
これに対して、精密脱硫における吸着量は吸収塔７からの精製ガス１１０６のガス量とガス中の硫黄分から算出できる。これらは投入する石炭中の硫黄分濃度と投入石炭量で変動する。精密脱硫塔１１Ａ，１１Ｂの出口での硫黄分濃度がほとんどないとすると、精製ガス１１０６の流量とガス中硫黄濃度の積から、精密脱硫塔１１Ａ，１１Ｂに吸着された硫黄分は推定でき、どのくらいの時間で精密脱硫塔１１Ａ，１１Ｂを再生する必要があるかが推定できる。そこで、図４中のＬＬで示した再生下限の精密脱硫吸着量とＵＬで示した再生上限量（通常、これには安全率を見込んでいるので、ＵＬは１００％以下の値である。）を設定する。精密脱硫吸着量がＬＬに到達した時間ａはロックホッパ供給窒素量が必要な時間であるので、直ぐには、再生はできないことになる。そこで、ロックホッパ供給窒素がゼロであり、他の不定期になる窒素使用量がない時間帯ｂから再生を開始することで、必要窒素量の合計が窒素供給可能量を超えないように運用する。
【００３６】
図４に示す窒素ガスの運用によれば、酸素製造装置の副生物である、乾燥した窒素を再生用ガスに効率的に利用できるので、石炭ガス化システムのシステム効率を高くできるという効果がある。
【実施例３】
【００３７】
本発明の第三の実施形態を、図５を用いて説明する。図５が図１と相違しているのは、吸収塔を省略して、洗浄塔６から出た石炭ガス１１０４を精密脱硫塔１１Ａ，１１Ｂに直接供給していることである。洗浄塔を出た石炭ガス１１０４には、硫黄化合物が含まれ、その数倍量の数％単位の二酸化炭素が含まれている。石炭ガス１１０４の温度は４０℃程度である。このような硫黄化合物及び二酸化炭素の含有状態であれば、合成ゼオライトによる脱硫処理が可能である。そこで、洗浄後の石炭ガスを熱交換器２２，２１で冷却して、合成ゼオライトで脱硫処理するのに好適な０〜１０℃の温度まで冷却し、精密脱硫塔１１Ａ又は１１Ｂに供給する。精密脱硫塔には、吸着能力が異なる複数の合成ゼオライトを多段に設けておくことが望ましいことは、既に述べたとおりである。本実施形態によれば、石炭ガス化システムのシステム構成の簡素化が図れる。
【００３８】
なお、この第三の実施形態により、石炭ガスを水で洗浄した後、冷却し、その後、合成ゼオライトよりなる脱硫触媒により乾式脱硫処理を行う石炭ガス精製方法が提案できる。
【００３９】
なお、以上の実施例では対象ガスを石炭ガス化ガスとして説明しているが、硫黄化合物を含有するガスであれば、石炭ガスだけに適用できるものではなく、硫黄化合物を含有する都市ガスやLPガスに適用できることは言うまでもなく、二酸化炭素含有率が少ないガスほど脱硫に要する脱硫剤の所要量が少なくなることは自明である。
【図面の簡単な説明】
【００４０】
【図１】本発明の第一の実施形態による石炭ガス化システムを示したシステム構成図。
【図２】本発明の一実施例による精密脱硫塔の概略構成図。
【図３】本発明の第二の実施形態による石炭ガス化システムを示したシステム構成図。
【図４】本発明の石炭ガス化システムにおける窒素ガス運用例を示す図。
【図５】本発明の第三の実施形態による石炭ガス化システムを示したシステム構成図。
【図６】合成ゼオライトの硫黄分吸着能と石炭ガス温度との相関を示した図。
【図７】二酸化炭素と硫黄化合物が含まれている石炭ガスに対する、合成ゼオライトの硫黄吸着能を示す図。
【符号の説明】
【００４１】
２…酸素製造装置、３…ガス化炉、４…熱回収器、５…フィルタ、６…洗浄塔、７…吸収塔、８…再生塔、９…硫黄回収装置、１０…石炭、１１…精密脱硫塔、１１Ａ…精密脱硫塔、１１Ｂ…精密脱硫塔、１２…再生ガス貯槽、１３…再生ガス圧縮機、２１…熱交換器、２２…熱交換器、２３…熱回収熱交換器、１１０１…生成ガス、１１０６…精製ガス。
【図１】
0004594239.tif 000002
【図２】
0004594239.tif 000003
【図３】
0004594239.tif 000004
【図４】
0004594239.tif 000005
【図５】
0004594239.tif 000006
【図６】
0004594239.tif 000007
【図７】
0004594239.tif 000008